(57)【要約】【課題】シンプルな構成で容易に床型枠材、ひいてはスラブの許容スパンを大きくでき、その結果、支保工または小梁の個数を削減（又は不要に）できる、非常に経済的かつ合理的なコンクリートスラブの構築方法を提供する。【解決手段】梁１０、１０間に敷設した床型枠材１を、前記梁１０、１０間に緊張させた支持材３で支持させた後、前記床型枠材１上にコンクリートを打設する。一例として、梁１０、１０間に敷設した複数の床型枠材１を、該床型枠材１の上部に吊環２を設けて前記梁１０、１０に緊張させた支持材３で吊り支持させた後、前記床型枠材１上にコンクリートを打設して前記支持材３を埋め殺しにして施工する。【選択図】図２
2014190116.tif 000002
【特許請求の範囲】
【請求項１】
梁間に敷設した床型枠材を、前記梁間に緊張させた支持材で支持させた後、前記床型枠材上にコンクリートを打設することを特徴とする、コンクリートスラブの構築方法。
【請求項２】
前記梁間に敷設した床型枠材を、該床型枠材の上部に設けて前記梁間に緊張させた支持材で吊り支持させた後、前記床型枠材上にコンクリートを打設して前記支持材を埋め殺しにすることを特徴とする、請求項１に記載したコンクリートスラブの構築方法。
【請求項３】
前記梁間に敷設した床型枠材を、前記梁間に緊張させた支持材の上に載せて支持させた後、前記床型枠材上にコンクリートを打設することを特徴とする、請求項１に記載したコンクリートスラブの構築方法。
【請求項４】
前記床型枠材の上部に吊環を設け、吊環に支持材を通して吊り支持させることを特徴とする、請求項２に記載したコンクリートスラブの構築方法。
【請求項５】
前記吊環は、アイボルト、孔空きプレート、保持金具、又はフック金具であることを特徴とする、請求項４に記載したコンクリートスラブの構築方法。
【請求項６】
前記床型枠材は、デッキプレート、又はハーフプレキャストコンクリート床版であることを特徴とする、請求項１〜５のいずれか一に記載したコンクリートスラブの構築方法。
【請求項７】
前記床型枠材がデッキプレートである場合に、
前記デッキプレートは、その長さ方向中間部の上部に前記吊環を設け、前記支持材は、前記吊環へ通して前記デッキプレートの幅方向に緊張させることを特徴とする、請求項２に記載したコンクリートスラブの構築方法。
【請求項８】
前記床型枠材がデッキプレートである場合に、
前記デッキプレートは、その長さ方向中間部の上部に前記吊環を設け、前記支持材は、前記吊環へ通して前記デッキプレートの長手方向に緊張させることを特徴とする、請求項２又は７に記載したコンクリートスラブの構築方法。
【請求項９】
前記床型枠材がハーフプレキャストコンクリート床版である場合に、
前記ハーフプレキャストコンクリート床版は、少なくとも梁に載置されていない側の辺の中央近傍位置に前記吊環を設け、前記支持材は、前記吊環へ通して当該辺を横切るように緊張させることを特徴とする、請求項２に記載したコンクリートスラブの構築方法。
【請求項１０】
前記支持材は、鋼製ケーブル、炭素繊維ケーブル等のケーブル材、植物性繊維ロープ等のロープ材、ワイヤ、又は鋼棒であることを特徴とする、請求項１〜９のいずれか一に記載したコンクリートスラブの構築方法。
【請求項１１】
前記支持材は、緊張部材を用いて緊張させることを特徴とする、請求項１〜１０のいずれか一に記載したコンクリートスラブの構築方法。
【請求項１２】
前記支持材は、その両端部を、鉄骨梁、鉄筋コンクリート梁、鉄骨鉄筋コンクリート梁、又は梁型枠内に配筋された梁主筋に固定して緊張させることを特徴とする、請求項１〜１１のいずれか一に記載したコンクリートスラブの構築方法。
【発明の詳細な説明】
【技術分野】
【０００１】
この発明は、デッキプレートやハーフプレキャストコンクリート床版等を床型枠材に用いたコンクリートスラブの構築方法の技術分野に属する。
【背景技術】
【０００２】
一般に、前記コンクリートスラブを構築する場合、スパンが長くなると、打設したコンクリートが硬化して強度を発現するまで自重を支えておくための支保工が必要となる。或いは、小梁が必要となる。
【０００３】
前記支保工を設ける場合は、部材コストのほか、その設置、撤去に伴う施工コストが嵩み、また、支保工を撤去するまで階下の各種工事が進められず工期が長期化するという問題があった。
前記小梁を設ける場合は、部材コストのほか、小梁によって間仕切り位置が制限されるので、設計の自由度が低くなるという問題があった。また、小梁を隠す場合は、空間が狭くなるか、階高を高くしなければならないため、さらにコストが嵩むという問題があった。
【０００４】
そこで、支保工の個数を削減（又は無支保工と）すること等により、前記問題の解消を図る発明が種々開示されている（例えば、特許文献１〜３を参照）。
【０００５】
前記特許文献１には、同文献１の図１、図２に示したように、鋼板等からなる型枠７上に間隔を設けて立設固定された支柱部材５に短尺の薄肉鋼管６が、一定の方向で、且つ高さ方向に一段又は複数段固定され、該薄肉鋼管６に鉄筋４を挿通し、該鉄筋４が該薄肉鋼管６の外面から機械的に圧着８して固定されている、鉄筋コンクリート床版用型枠ユニット等に関する発明が開示されている（請求項１の記載等を参照）。
【０００６】
前記特許文献２には、同文献２の図１に示したように、水平方向に離れて対向する壁１３等からなる２個の支持部１３間に、長方形の板状に成形され長さ方向の空洞１１を有する２枚の板状型枠１０を、長さ方向の一端同士が他端よりも高い位置で互いに突き合うように水平線に対し傾斜させて支架し、かつ直線状の鉄製連結棒１６を前記板状型枠１０の空洞１１内に水平に挿入し、その両端を前記支持部１３に固定して、しかる後、前記板状型枠１０上に鉄筋１８を配設し、この鉄筋１８を埋めるようにコンクリート１９を流して硬化させる、鉄筋コンクリート床の構築方法に関する発明が開示されている（請求項１の記載等を参照）。
【０００７】
前記特許文献３には、同文献３の図１、図２に示したように、ハーフプレキャスト床版４において建物躯体の梁２にのらない辺４ｃを、吊り材６にて、その階の上部の躯体の梁３又は柱１に連結して吊り状態にする、ハーフプレキャスト床版の施工方法に関する発明が開示されている（請求項１の記載等を参照）。ちなみに、前記吊り材６には、鉄筋や鋼管などが用いられている（段落[0013]参照）。
【先行技術文献】
【特許文献】
【０００８】
【特許文献１】特開平１０−２８０３３１号公報
【特許文献２】特開平１０−３７３６２号公報
【特許文献３】特開２０００−８７４８６号公報
【発明の概要】
【発明が解決しようとする課題】
【０００９】
上記特許文献１にかかる発明は、型枠７に溶接された支柱部材５に鉄筋４を圧着８することで、型枠ユニットの曲げ剛性を確保し支保工を削減する発明であるが、圧縮側の鉄筋４の座屈を防止するために支柱部材５の間隔を短く設定しなければならず、型枠ユニットの自重はその分、不必要に重くなり、溶接量の増加に伴いコストが嵩む問題がある。また、部材点数が多く、コストが嵩む問題もある。
【００１０】
上記特許文献２にかかる発明は、前記構成の複合形態の鉄筋コンクリート床を、支保工をほとんど用いないで、プレストレスを導入したり、アーチやドーム形状としたりせずに構築できるとしているが（段落[0003]参照）、板状型枠１０を設置するには、２枚の対面する板状型枠１０を同時、若しくは一方を所定の傾斜角度に維持するため仮設材（支保工１５）に設置した後で他方を設置する必要があり、手間が掛かる問題がある。加えて、鉄製連結棒１６の固定作業（段落[0014]参照）、コンクリート１９を打設する際の作業要領（段落[0011]参照）等を勘案すると、作業工程が多く、面倒で、熟練工を必要とするなど、工期もコストも掛かる問題もある。また、空洞１１内に配置された鉄製連結棒１６は、板状型枠１０と機械的に接触していないため、構造的に機能しておらず、非効率である。
【００１１】
上記特許文献３にかかる発明は、梁にのらない辺を上階の躯体（梁３又は柱１）に連結した吊り材（鉄筋や鋼管）６で支持することにより、支保工を削減することを目的とした発明である。しかし、打設コンクリートが硬化した後の吊り材６の撤去に難渋する。
すなわち、コンクリートの上面に沿って切断して撤去する場合は、切断作業が面倒な上にコンクリートスラブを損傷する虞があり、また、切断後の吊り材６では転用も難しい。切断しないで撤去するには、吊り材６の周囲を管状の枠で覆ってコンクリートとの付着を防止する等の工夫を施さねばならず、大変煩わしく、かつコンクリートスラブに一部の断面欠損を生じる問題がある。
上階部分の躯体（梁３又は柱１）を利用してハーフプレキャスト床版４を支持する方法であるため、必然的に、最上階部分の施工は従来通り支保工又は小梁を用いざるを得ない問題もある。
【００１２】
本発明は、上述した背景技術の問題に鑑みて案出されたものであり、その目的とするところは、シンプルな構成で容易に床型枠材、ひいてはスラブの許容スパンを大きくでき、その結果、支保工または小梁の個数を削減（又は不要に）できる、非常に経済的かつ合理的なコンクリートスラブの構築方法を提供することにある。
【課題を解決するための手段】
【００１３】
上記背景技術の課題を解決するための手段として、請求項１に記載した発明に係るコンクリートスラブの構築方法は、梁間に敷設した床型枠材を、前記梁間に緊張させた支持材で支持させた後、前記床型枠材上にコンクリートを打設することを特徴とする。
【００１４】
請求項２に記載した発明は、請求項１に記載したコンクリートスラブの構築方法において、前記梁間に敷設した床型枠材を、該床型枠材の上部に設けて前記梁間に緊張させた支持材で吊り支持させた後、前記床型枠材上にコンクリートを打設して前記支持材を埋め殺しにすることを特徴とする。
【００１５】
請求項３に記載した発明は、請求項１に記載したコンクリートスラブの構築方法において、前記梁間に敷設した床型枠材を、前記梁間に緊張させた支持材の上に載せて支持させた後、前記床型枠材上にコンクリートを打設することを特徴とする。
【００１６】
請求項４に記載した発明は、請求項２に記載したコンクリートスラブの構築方法において、前記床型枠材の上部に吊環を設け、吊環に支持材を通して吊り支持させることを特徴とする。
【００１７】
請求項５に記載した発明は、請求項２に記載したコンクリートスラブの構築方法において、前記吊環は、アイボルト、孔空きプレート、保持金具、又はフック金具であることを特徴とする。
【００１８】
請求項６に記載した発明は、請求項１〜５のいずれか一に記載したコンクリートスラブの構築方法において、前記床型枠材は、デッキプレート、又はハーフプレキャストコンクリート床版であることを特徴とする。
【００１９】
請求項７に記載した発明は、請求項２に記載したコンクリートスラブの構築方法において、前記床型枠材がデッキプレートである場合に、前記デッキプレートは、その長さ方向中間部の上部に前記吊環を設け、前記支持材は、前記吊環へ通して前記デッキプレートの幅方向に緊張させることを特徴とする。
【００２０】
請求項８に記載した発明は、請求項２又は７に記載したコンクリートスラブの構築方法において、前記床型枠材がデッキプレートである場合に、前記デッキプレートは、その長さ方向中間部の上部に前記吊環を設け、前記支持材は、前記吊環へ通して前記デッキプレートの長手方向に緊張させることを特徴とする。
【００２１】
請求項９に記載した発明は、請求項２に記載したコンクリートスラブの構築方法において、前記床型枠材がハーフプレキャストコンクリート床版である場合に、前記ハーフプレキャストコンクリート床版は、少なくとも梁に載置されていない側の辺の中央近傍位置に前記吊環を設け、前記支持材は、前記吊環へ通して当該辺を横切るように緊張させることを特徴とする。
【００２２】
請求項１０に記載した発明は、請求項１〜９のいずれか一に記載したコンクリートスラブの構築方法において、前記支持材は、鋼製ケーブル、炭素繊維ケーブル等のケーブル材、植物性繊維ロープ等のロープ材、ワイヤ、又は鋼棒であることを特徴とする。
【００２３】
請求項１１に記載した発明は、請求項１〜１０のいずれか一に記載したコンクリートスラブの構築方法において、前記支持材は、緊張部材を用いて緊張させることを特徴とする。
【００２４】
請求項１２に記載した発明は、請求項１〜１１のいずれか一に記載したコンクリートスラブの構築方法において、前記支持材は、その両端部を、鉄骨梁、鉄筋コンクリート梁、鉄骨鉄筋コンクリート梁、又は梁型枠内に配筋された梁主筋に固定して緊張させることを特徴とする。
【発明の効果】
【００２５】
本発明に係るコンクリートスラブの構築方法によれば、以下の効果を奏する。
１）床型枠材の長手方向中間部（特には中央部）を、梁間に緊張させた支持材で支持した構成となるので、該支持材が、前記床型枠材の長手方向中間部に支持点として機能し、該床型枠材のたわみ量と、発生するモーメントを低減することができる。
よって、コンクリートスラブの許容スパンを大きくでき、その結果、支保工または小梁の個数を削減（又は不要に）できる。
２）支保工を用いた従来方法と比し、階下には何ら手を加えないので、階下の各種工事をスムーズに行うことができ、工期の短縮に寄与する。また、支持材は撤去することなくそのまま使用するので、撤去費用が一切掛からず経済的である。
３）小梁を用いた従来方法と比し、施工コストを大幅に抑えることができ経済的である。
また、階下には何ら手を加えないので、設計の自由度が高い。
４）支持材は張力構造であるため座屈の懸念がなく、コンクリート硬化後も梁にスムーズに荷重を伝達できるので、恒久的かつ合理的なコンクリートスラブを実現できる。
５）構造設計上、床型枠材を支持するのに必要な強度・剛性に対して、支持材やターンバックル等の緊張部材の採択のほか、図１１〜図１４に示したように、支持材の数量および配置形態を適宜変更できるので柔軟な対応が可能となり、強度・剛性に優れた支持構造を自在に実現できる。
６）支持材を埋め殺して実施する場合は、コンクリートスラブの補強効果も期待できる。
７）要するに、シンプルな構成で容易に床型枠材、ひいてはスラブの許容スパンを大きくでき、その結果、支保工または小梁の個数を削減（又は不要に）できる、非常に経済的かつ合理的なコンクリートスラブの構築方法を提供できる。
【図面の簡単な説明】
【００２６】
【図１】本発明の請求項２に係るコンクリートスラブの構築方法を鉄骨造に適用した実施例を示した平面図である。
【図２】図１のＸ−Ｘ線矢視断面図である。
【図３】図１の一部分を示した斜視図である。
【図４】図３の分解斜視図である。
【図５】本発明の請求項３に係るコンクリートスラブの構築方法を鉄骨造に適用した実施例を示した平面図である。
【図６】本発明に係るコンクリートスラブの構築方法を鉄筋コンクリート造に適用した実施例を示した立面図である。
【図７】本発明に係るコンクリートスラブの構築方法を鉄筋コンクリート造に適用した実施例を示した立面図である。
【図８】本発明に用いるデッキプレートのバリエーションを示した斜視図である。
【図９】Ａ、Ｂはそれぞれ、本発明に用いる吊環のバリエーションを示した斜視図である。
【図１０】本発明に用いる支持材の配置形態のバリエーションを示した平面図である。
【図１１】本発明に用いる支持材の配置形態のバリエーションを示した平面図である。
【図１２】図１１のＹ−Ｙ線矢視断面図である。
【図１３】本発明に用いる支持材の配置形態のバリエーションを示した平面図である。
【図１４】図１３の一部分を示した斜視図である。
【図１５】本発明に用いる床型枠材のバリエーションを示した平面図である。
【図１６】図１５のＺ−Ｚ線矢視断面図である。
【図１７】図１５の一部分を拡大して示した斜視図である。
【発明を実施するための形態】
【００２７】
次に、本発明に係るコンクリートスラブの構築方法の実施例を図面に基づいて説明する。
【実施例１】
【００２８】
前記コンクリートスラブの構築方法は、図１〜図４に示したように、梁１０、１０間に敷設した床型枠材１を、前記梁１０、１０間に緊張させた支持材３で支持させた後、前記床型枠材１上にコンクリート（図示略）を打設する。具体的には、梁１０、１０間に敷設した複数の床型枠材１を、該床型枠材１の上部に設けて前記梁１０、１０に緊張させた支持材３で吊り支持させた後、前記床型枠材１上にコンクリートを打設して前記支持材３を埋め殺しにして施工する。本実施例では、前記床型枠材１の上部に吊環２を設け、該吊環２に支持材３を通して吊り支持させている。
ちなみに、本実施例（図１、図２）では鉄骨造（Ｓ造）での実施例について説明するが、これに限定されず、本発明は、実施例２で説明するように構造種別にかかわらず実施可能である。
【００２９】
前記床型枠材１は、波形デッキプレート１が適用され、４本の鉄骨柱（鋼管柱等）１１と、該鉄骨柱１１間に架設された４本の鉄骨梁（Ｈ形鋼等）１０とで形成した矩形状の平面空間を覆うように、該鉄骨梁１０の上面に敷設されている。
【００３０】
前記複数の波形デッキプレート１はそれぞれ、長さ方向中間部（図示例では中央部）の山部（凸部）の上部の左右２箇所に前記吊環２が設けられている。前記吊環２は、図３と図４に示すように、アイボルト２ａと、中央部にねじ孔を有する裏当て板２ｂとで構成され、前記デッキプレート１の所定部位（図示例では中央部）に穿設された貫通孔１ａへアイボルト２ａのボルト軸を通し、これを前記裏当て板２ｂのねじ孔へねじ込むことにより設置される。前記アイボルト２ａのせい（高さ）は、スラブ厚を考慮し、できるだけ低い方が好ましい（図２、図３参照）。
また、前記アイボルト２ａは、その開口部を、１本の支持材（本実施例では鋼製ケーブル）３が前記デッキプレート１の幅方向へ直線状に通す向きにして整列されている（図３参照）。
なお、前記吊環２は、アイボルト２ａと裏当て板２ｂとの組み合わせに限定されず、アイボルト２ａのみでも実施可能である。この場合、前記デッキプレート１自体にねじ孔加工を施し、該ねじ孔にアイボルト２ａをねじ込んで実施する（図示略）。
【００３１】
前記支持材（鋼製ケーブル）３を前記鉄骨梁１０、１０間に緊張する手段は種々あるが、本実施例では、一例として、左右の鉄骨梁１０、１０の上フランジ上面の所定部位（図示例では鉄骨梁１０の中心部）に保持金具４を溶接等の接合手段で設置し、該保持金具４の通し孔に、前記吊環２へ通した鋼製ケーブル３の両端部を通して固定し、ターンバックル等（チェーンブロック、ウインチでも可）の緊張部材５で緊張する手段が採用される。
かくして、両端部を左右の鉄骨梁１０（保持金具４）に固定して緊張させた鋼製ケーブル３は、前記吊環２を介して前記デッキプレート１の長さ方向中央部を吊り支持する構成となる。すなわち、前記デッキプレート１に作用する荷重は、その上部に設けた吊環２を介して鋼製ケーブル３の両端部が固定された鉄骨梁１０、１０へ伝達される構成となる。
ちなみに、図中の符号６は、鉄骨梁１０上に溶接等の接合手段で設けられた門型の受け部材であり、前記デッキプレート１上を通過（横断）する支持材３が、幅方向端部側に敷設したデッキプレート１（の肩部）と接触することなく鉄骨梁１０の保持金具４に固定させるために設けられている。この門型の受け部材６は、支持材３のずり動きを防止するべく、その上辺部中央に凹部を設ける等の設計変更は適宜行われるところである。
【００３２】
上記構成のコンクリートスラブの構築方法は、先ず、鉄骨柱１１と鉄骨梁１０とで形成した矩形状の平面空間を覆うように前記デッキプレート１を敷設する。ここで、前記保持金具４および門型の受け部材６は、鉄骨梁１０の前記所定部位にあらかじめ設置しておくことが作業上好ましい。また、前記吊環２も、アイボルト２ａの開口部の向きを揃えて、前記デッキプレート１の前記所定部位にあらかじめ設置しておくことが作業上好ましい。もっとも、デッキプレート１自体を敷設する手法は従来通りである。
次に、前記吊環２（アイボルト２ａ）のすべての開口部に鋼製ケーブル３を通し、かくして前記デッキプレート１の幅方向へ直線状に通した鋼製ケーブル３の両端部を、左右の鉄骨梁１０、１０に設けた門型の受け部材６の上を通過させて前記保持金具４に固定する。固定後、前記鋼製ケーブル３を前記緊張部材５により緊張させて所要の緊張力を付与し、当該鋼製ケーブル３で前記デッキプレート１の長手方向中央部を吊り支持する。
しかる後、前記デッキプレート１上へコンクリート（図示略）を所定のスラブ厚まで打設して、前記鋼製ケーブル３を埋め殺しにして施工を完了する。
【００３３】
このコンクリートスラブの構築方法によれば、以下の作用効果を奏する。
１）前記デッキプレート１の長手方向中央部を、鉄骨梁１０、１０間に緊張させた鋼製ケーブル３で吊り支持した構成となるので、該鋼製ケーブル３が、前記デッキプレート１の長手方向中央部に支持点として機能し、該デッキプレート１のたわみ量と、発生するモーメントを低減することができる。
よって、コンクリートスラブの許容スパンを大きくでき、その結果、支保工または小梁の個数を削減（又は不要に）できる。
２）支保工を用いた従来方法と比し、階下には何ら手を加えないので、階下の各種工事をスムーズに行うことができ、工期の短縮に寄与する。また、前記支持点を構成する鋼製ケーブル３は埋め殺して実施できるので、撤去費用が一切掛からず経済的である。
３）小梁を用いた従来方法と比し、施工コストを大幅に抑えることができ経済的である。
また、階下には何ら手を加えないので、設計の自由度が高い。
４）その他、支持材（鋼製ケーブル）３は張力構造であるため座屈の懸念がなく、コンクリート硬化後も梁（鉄骨梁）１０にスムーズに荷重を伝達できるので、恒久的かつ合理的なコンクリートスラブを実現することができる。
【実施例２】
【００３４】
実施例２では、上記実施例１にかかるコンクリートスラブの構築方法のバリエーションについて逐次説明する。なお、上記実施例１と同一部材は同じ符号を付してその説明を適宜省略する。
【００３５】
図５は、上記実施例１と同様のＳ造について、前記デッキプレート１を上方から吊り支持するのではなく、下方から支持する場合の実施例を示している。
すなわち、図５に係る実施例は、前記鉄骨梁１０、１０間に敷設したデッキプレート（床型枠材）１を、前記鉄骨梁１０、１０間に緊張させた支持材３の上に載せて支持させた後、前記デッキプレート１上にコンクリートを打設して実施する。具体的には、鉄骨梁１０、１０間に複数のデッキプレート１を敷設する作業に先行して、先ず、鉄骨梁１０、１０における該デッキプレート１の長さ方向中間部（本実施例では中央部）に相当する位置の上フランジ部に、デッキプレート１と接触しないように、略Ｌ字形の保持金具４’を溶接等の接合手段で設置する。次に、前記保持金具４’の通し孔に、鋼製ケーブル３の両端部を通して固定し、前記緊張部材５で緊張する。しかる後、鉄骨梁１０、１０間に複数のデッキプレート１を敷設する。
よって、この実施例によれば、上記実施例１と比し、上方から吊り支持するか、下方から支持するかの違い、および鋼製ケーブル３を埋め殺しにするか、しないかの違いはあるものの、前記デッキプレート１の長手方向中央部を、鉄骨梁１０、１０間に緊張させた鋼製ケーブル３で支持した構成には変わりないので、該鋼製ケーブル３が、前記デッキプレート１の長手方向中央部に支持点として機能し、該デッキプレート１のたわみ量と、発生するモーメントを低減することができる等、上記実施例１と同様の作用効果を奏する（段落［００３３］参照）。
【００３６】
図６は、鉄筋コンクリート造（ＲＣ造）での実施例について示している。
このコンクリートスラブの構築方法は、鉄筋コンクリート梁１２、１２（の梁型枠８、８）間に敷設した複数の床型枠材（デッキプレート）１を、該床型枠材１の上部に設けた吊環２へ通して前記鉄筋コンクリート梁１２、１２（の梁主筋７ａ、７ａ）間に緊張させた支持材（鋼製ケーブル）３で吊り支持させた後、コンクリート（図示略）を打設し、前記支持材３を埋め殺しにして施工する。
この実施例は、上記実施例１と比し、幅方向端部の床型枠材１の長手側を、梁型枠８の横桟８ａ上に載置している点、前記支持材３の両端部にフック金具９を取り付け、該フック金具９を梁型枠８内に配筋した下方の梁主筋７ａに掛け留めている点、前記床型枠材１の直近の梁主筋７ａに、実施例１にかかる門型の受け材６の役割を課している点、のみ相違する。その他の構成は上記実施例１と同様である（図１と図３を援用して参照）。ちなみに図中の符号７ｂはあばら筋、符号１３は支保工を示している。
よって、この実施例によれば、上記実施例１と同様に、前記デッキプレート１の長手方向中央部を、鉄筋コンクリート梁１２、１２間に緊張させた鋼製ケーブル３で吊り支持した構成となるので、該鋼製ケーブル３が、前記デッキプレート１の長手方向中央部に支持点として機能し、該デッキプレート１のたわみ量と、発生するモーメントを低減することができる等、上記実施例１と同様の作用効果を奏する（段落［００３３］参照）。
【００３７】
図７は、鉄筋コンクリート造（ＲＣ造）について、予め梁型枠８内にコンクリートを打設し、鉄筋コンクリート梁１２がある程度の強度を発現した段階でコンクリートスラブを構築する場合の実施例を示している。
この実施例は、図６にかかる実施例と比し、前記支持材３の両端部を、前記鉄筋コンクリート梁１２の上面に打ち込んだアンカー１４に固定している点のみ相違し、鉄筋コンクリート梁１２、１２間に敷設した複数の床型枠材（デッキプレート）１を、該床型枠材１の上部に設けた吊環２へ通して前記鉄筋コンクリート梁１２、１２間に緊張させた支持材（鋼製ケーブル）３で吊り支持させた後、コンクリート（図示略）を打設し、前記支持材３を埋め殺しにして施工する点は、図６にかかる実施例と同様である。
よって、この実施例によれば、図６にかかる実施例と同様に、前記デッキプレート１の長手方向中央部を、鉄筋コンクリート梁１２、１２間に緊張させた鋼製ケーブル３で吊り支持した構成となるので、該鋼製ケーブル３が、前記デッキプレート１の長手方向中央部に支持点として機能し、該デッキプレート１のたわみ量と、発生するモーメントを低減することができる等、上記実施例１と同様の作用効果を奏する（段落［００３３］参照）。
【００３８】
なお、本発明を鉄骨鉄筋コンクリート造（ＳＲＣ造）で実施する場合は、図６にかかる実施例に倣い、前記支持材３の両端部を梁型枠８内の梁主筋７ａ、或いは梁鉄骨（図示略）に固定して実施すればよい。よって、特に説明するまでもなく、上記実施例１と同様の作用効果を奏する（段落［００３３］参照）。
【００３９】
次に、前記床型枠材１として用いた前記デッキプレート１は、山部の上部に特殊加工を施しているが、図８に示すように特殊加工を施していないデッキプレート１５でも勿論実施できる。この場合、前記吊環２は、図示例のように、各山部の中央に１箇所ずつ設けて実施することもできる。また、波形デッキプレート１に限定されるものでもなく、フラットデッキプレートでも実施できる。
【００４０】
前記吊環２は、アイボルト２ａに限定されず、フック金具でも実施できる。また、前記デッキプレート１の上面に直接、孔空きプレートやＣ字形の保持金具、或いはプレート状の金物１６、１７（図９Ａ、Ｂ参照）を溶接して設ける等、前記デッキプレート１に穿設加工を施さないタイプの吊環もある。
【００４１】
前記支持材３は、前記鋼製ケーブル３に限定されず、炭素繊維ケーブル等のケーブル材、植物性繊維ロープ等のロープ材、ワイヤ、又は鋼棒等の所定の強度・剛性を有する線状連結材であれば実施可能であり、前記鋼製ケーブル３を用いた場合と同様に、コンクリートスラブの補強効果も期待できる。
【００４２】
また、上記実施例１では、１本の支持材（鋼製ケーブル）３が、前記デッキプレート１の長手方向中央部を横断して該デッキプレート１を吊り支持する構成で実施しているが、デッキプレート１をバランスよく吊り支持することができれば、２本でも実施できるし（図１０参照）、３本以上でも実施可能である。もとより、本数は少ない方が経済的であり、本数が多い方が吊り支持強度は高い。
【００４３】
上記実施例１では、前記支持材３を前記デッキプレート１の幅方向に緊張して実施しているが、図１１、図１２に示すように、前記デッキプレート１の長手方向に緊張させて実施することもできる。この場合、前記支持材３は、前記デッキプレート１の数量に対応させた数量を用いる。
【００４４】
さらに、図１３と図１４に示すように、支持材３を前記デッキプレート１の幅方向および長手方向（即ち、縦横方向）に緊張して実施することもできる。この場合、図１４に示すように、デッキプレート１の幅方向に通す支持材３の高さと長手方向に通す支持材３の高さに段差を設け、交差する支持材３同士の干渉を生じさせない工夫を施している。
【００４５】
かくして、当該実施例２で説明した各種バリエーションは、実質上、上記実施例１と同様に、両端部を左右の梁に固定して緊張させた支持材３により、前記デッキプレート１を支持する構成には変わりないので、改めて説明するまでもなく、上記実施例１と同様の作用効果を奏する（段落［００３３］参照）。また、構造設計上、前記デッキプレート１を吊り支持するのに必要な強度・剛性に対して、支持材３や緊張部材５の採択のほか、図１１〜図１４に示したように、支持材３の数量および配置形態を適宜変更できるので、柔軟な対応が可能となる。
【実施例３】
【００４６】
図１５〜図１７は、本発明にかかるコンクリートスラブの構築方法の異なる実施例を示している。この実施例は、上記実施例１、２と比し、床型枠材１をハーフプレキャストコンクリート床版１８（以下、単に床版１８という場合がある。）で実施している点が主に相違する。なお、上記実施例１と同一部材は同じ符号を付してその説明を適宜省略する。
すなわち、この実施例３にかかるコンクリートスラブの構築方法は、梁１０、１０間に敷設した複数（図示例では４枚）のハーフプレキャストコンクリート床版１８を、該床版１８の上部に設けた吊環（孔空きプレート）１９へ通して前記梁１０、１０間に緊張させた支持材３で吊り支持させた後、前記床版１８上にコンクリート（図示略）を打設し、前記支持材３を埋め殺しにして施工する。
具体的に、前記床版１８は、少なくとも梁１０に載置されていない側の辺の中央近傍位置に前記吊環１９を設け、前記支持材３は、前記吊環１９へ通して当該辺を横切るように緊張させている。
【００４７】
かくして、両端部を左右の鉄骨梁１０（保持金具４）に固定して緊張させた支持材（鋼製ケーブル）３は、前記吊環１９を介して前記床版１８の長さ方向中央部を吊り支持する構成となる。すなわち、前記床版１８に作用する荷重は、前記吊環１９を介して支持材３の両端部が固定された鉄骨梁１０、１０へ伝達される構成となる。
【００４８】
上記構成のコンクリートスラブの構築方法は、先ず、鉄骨柱１１と鉄骨梁１０とで形成した矩形状の平面空間を覆うように前記床版１８を敷設する。ここで、前記保持金具４および門型の受け部材６は、鉄骨梁１０の前記所定部位にあらかじめ設置しておくことが作業上好ましい。また、前記吊環１９も、前記床版１８にあらかじめ設置しておくことが作業上好ましい。もっとも、床版１８自体を敷設する手法は従来通りである。
ちなみに、前記吊環１９として用いる孔空きプレート１９は、その下部を前記床版１８に埋め込んで一体化されている。前記床版１８の数量は、前記平面空間の大きさ等に応じて適宜増減可能である。
次に、前記吊環１９のすべての開口部に支持材３を通し、かくして前記床版１８の幅方向へ直線状に通した支持材３の両端部を、左右の鉄骨梁１０、１０に設けた門型の受け部材６の上を通過させて前記保持金具４に固定する。固定後、前記支持材３を前記緊張部材５により緊張させて所要の緊張力を付与し、当該支持材３で前記床版１８の長手方向中央部を吊り支持する。
しかる後、前記床版１８上へコンクリート（図示略）を所定のスラブ厚まで打設して、前記支持材３を埋め殺しにして施工を完了する。
【００４９】
このコンクリートスラブの構築方法によれば、以下の作用効果を奏する。
１）前記床版１８の長手方向中央部を、鉄骨梁１０、１０間に緊張させた支持材３で吊り支持した構成となるので、該支持材３が、前記床版１８の長手方向中央部に支持点として機能し、該床版１８のたわみ量と、発生するモーメントを低減することができる。
よって、コンクリートスラブの許容スパンを大きくでき、その結果、支保工または小梁の個数を削減（又は不要に）できる。例えば図１５において、従来は、構造設計上、矩形状の平面空間の短手方向へ架け渡すほかなかった床版１８を、スパンを大きくして長手方向に架け渡して実施することもできるので、床版１８の数量および敷設工程の省力化を図ることができる。
２）支保工を用いた従来方法と比し、階下には何ら手を加えないので、階下の各種工事をスムーズに行うことができ、工期の短縮に寄与する。また、前記支持点を構成する支持材３は埋め殺して実施できるので、撤去費用が一切掛からず経済的である。
３）小梁を用いた従来方法と比し、施工コストを大幅に抑えることができ経済的である。
また、階下には何ら手を加えないので、設計の自由度が高い。
４）その他、支持材（鋼製ケーブル）３は張力構造であるため座屈の懸念がなく、コンクリート硬化後も梁（鉄骨梁）１０にスムーズに荷重を伝達できるので、恒久的かつ合理的なコンクリートスラブを実現することができる。
【００５０】
ちなみに、図示例では鉄骨造（Ｓ造）での実施例について示しているが、本発明は、実施例２で説明した手法に倣い、ＲＣ造、又はＳＲＣ造でも実施可能である（前記段落［００３６］〜［００３８］参照）。
【００５１】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００５２】
１    床型枠材（波形デッキプレート）
１ａ  貫通孔
２    吊環
２ａ  アイボルト２ａ
２ｂ  裏当て板
３    支持材（鋼製ケーブル）
４    保持金具
４’  保持金具
５    緊張部材（ターンバックル）
６    門型の受け部材
７ａ  梁主筋    
７ｂ  あばら筋
８    梁型枠
８ａ  横桟
９    フック金具
１０    梁（鉄骨梁）
１１    鉄骨柱
１２    鉄筋コンクリート梁
１３    支保工
１４    アンカー
１５    デッキプレート
１６、１７    プレート状の通し金物
１８    ハーフプレキャストコンクリート床版
１９    吊環（孔空きプレート）
【図１】
2014190116.tif 000003
【図２】
2014190116.tif 000004
【図３】
2014190116.tif 000005
【図４】
2014190116.tif 000006
【図５】
2014190116.tif 000007
【図６】
2014190116.tif 000008
【図７】
2014190116.tif 000009
【図８】
2014190116.tif 000010
【図９】
2014190116.tif 000011
【図１０】
2014190116.tif 000012
【図１１】
2014190116.tif 000013
【図１２】
2014190116.tif 000014
【図１３】
2014190116.tif 000015
【図１４】
2014190116.tif 000016
【図１５】
2014190116.tif 000017
【図１６】
2014190116.tif 000018
【図１７】
2014190116.tif 000019